(57)【特許請求の範囲】
【請求項１】
本体内に、前面が開口し収納かごが出し入れされる洗浄槽を備えると共に、前記本体の前面に、前記洗浄槽の前面開口部を開閉する扉を備えたものにおいて、
前記本体の前下部に、下面及び外側の側面が開口した収納凹部に収納可能で、かつ前方への回動位置で先端部が前記本体の前面よりも前方へ突出する支え部材を回動可能に設け、この支え部材に、前記本体が設置される設置面に接触して該本体を支える接地部を設けたことを特徴とする洗浄機。
【請求項２】
支え部材は、本体の左右の両端側部分に位置して設けられていることを特徴とする請求項１記載の洗浄機。
【請求項３】
支え部材は、本体の前面と平行または本体の側面と平行となる状態で収納されることを特徴とする請求項１または２記載の洗浄機。
【請求項４】
接地部は、下方へ突出する脚部から成ることを特徴とする請求項１ないし３のいずれかに記載の洗浄機。
【請求項５】
脚部は、支え部材の回動中心に対応する部位の下面及び先端部の下面のそれぞれに設けられていることを特徴とする請求項４記載の洗浄機。
【請求項６】
脚部に環状またはキャップ状のスペーサを嵌め込むことにより高さ調整が可能とされていることを特徴とする請求項４または５記載の洗浄機。
【請求項７】
支え部材に、これの回動中心となる回動軸を設け、本体に、前記回動軸を回動可能に支持する支持部を設けたことを特徴とする請求項１ないし６のいずれかに記載の洗浄機。
【請求項８】
支え部材と本体との間に、支え部材の回動時にクリック感を付与する節動手段を設けたことを特徴とする請求項１ないし７のいずれかに記載の洗浄機。
【請求項９】
本体の前面には扉の下方に位置して前面板が設けられていて、支え部材は、その前面板の下方に位置して設けられていることを特徴とする請求項１ないし８のいずれかに記載の洗浄機。
【請求項１０】
本体には固定具取付部が設けられ、支え部材は、前後方向への回動が可能であると共に、先端部の下面に接地部を有していて、前記支え部材を、これの先端部が後方へ向く状態に回動させた状態で、前記本体を、前記固定具取付部に取り付けた固定具により設置部に固定できる構成としたことを特徴とする請求項１記載の洗浄機。
【発明の詳細な説明】
【０００１】
【発明の属する技術分野】
本発明は、本体内に、前面が開口し収納かごが出し入れされる洗浄槽を備えると共に、本体の前面に、洗浄槽の前面開口部を開閉する扉を備えた、例えば卓上型の食器洗い機などの洗浄機に関する。
【０００２】
【発明が解決しようとする課題】
洗浄機、例えばシステムキッチンのワークトップ（天板）上に設置されるいわゆる卓上型の食器洗い機においては、近年、前後方向の奥行寸法を２５〜４０ｃｍ程度の薄形に構成して、省設置スペースを図ろうとしたものが供されてきている。このようなものの一例を図１５に示す。このものは、前後方向に薄形の矩形箱状をなす本体１内に、洗浄槽２を設けると共に、その洗浄槽２内に収容された食器を洗浄及び乾燥する機構（図示せず）を備えて構成されている。
【０００３】
また、本体１の前面には、前記洗浄槽２の前面開口を開閉するための扉３が設けられている。この扉３は、その下部にて本体１に枢支され、前方にほぼ水平状態に開くようになっている。そして、前記洗浄槽２内には、食器を支持する食器収納かごが出し入れ可能に収容されるようになっており、前記扉３を開放させた状態で、その食器収納かごを前方に引き出して食器の出し入れを行うことができるようになっている。尚、本体１の前面には、前記扉３の下部に位置して操作パネル４が設けられている。また、本体１の外底面部には、四隅部に位置して図示しない脚部が設けられており、これら脚部によって設置面上に載置されるようになっている。
【０００４】
しかして、上記構成において、扉３を開放し、食器収納かごを引き出した状態では、重心が前側に移動して不安定となる虞があるため、特に本体１を薄形としたものでは前方への転倒を防止する構成とする必要がある。そこで、従来では、本体１の外底部に、本体１の前方に延びる補助脚５を取り付けることにより前方への転倒を防止するようにしたものが供されている。この補助脚５は、付属品として別付けされていて、本体１の底部にスライドにより出し入れ可能に設けられ、ねじを緩めて引出した後ねじを締付けてその引出位置に固定されるようになっている。
【０００５】
しかしながら、このように付属品の補助脚５を設ける構成では、次のような欠点がある。即ち、上記補助脚５では、前方への突出長さが比較的大きい（例えば１５０ｍｍ）ので、例えばキッチンの出窓部分や対面カウンターの上など、奥行寸法が限られた部位に設置しようとしても、本体１自体は設置できても補助脚５部分がはみ出して設置できなくなるといったケースが生ずる。この場合、本体１自体はその底部の脚部によって設置できるため、補助脚５が設置面に接触せず十分に機能しない状態で使用される虞があり、あるいは、補助脚５の必要性が見落とされたり、補助脚５の存在に気付かずに設置される虞もある。また、本体１の右端部寄りに１本だけ補助脚５を設けているので、正規の状態に設置できた場合でも、設置状態が不安定となる傾向もあった。
【０００６】
尚、図示はしないが、前後方向寸法が４０〜５０ｃｍ程度の標準サイズのものでは、本体内の後部に重りを設ける構成としたものがあり、更には、床置き型の食器洗い機においては、扉の開放に連動して補助脚が前方に出てくる可動式のものもあった。しかしながら、前者の重りを設けるものでは、本体の大形化を招くと共に重量が必要以上に大きくなる欠点がある。一方、後者の可動式の補助脚を有するものでは、シンクの近傍に設置した場合に、出てきた補助脚がシンク上（空間部）にかかって転倒防止の効果を発揮しなくなる虞があり、また、補助脚が出てくるときに、ワークトップ上に置かれていた包丁等の調理具を押しのけてしまったりする不具合もある。
【０００７】
本発明は上記事情に鑑みて成されたもので、その目的は、本体の前面に扉を開閉可能に備えるものにあって、付属品の補助脚によらずとも、安定して設置することが可能な洗浄機を提供するにある。
【０００８】
【課題を解決するための手段】
上記の目的を達成するために、請求項１の発明の洗浄機は、本体内に、前面が開口し収納かごが出し入れされる洗浄槽を備えると共に、前記本体の前面に、前記洗浄槽の前面開口部を開閉する扉を備えたものにおいて、前記本体の前下部に、下面及び外側の側面が開口した収納凹部に収納可能で、かつ前方への回動位置で先端部が前記本体の前面よりも前方へ突出する支え部材を回動可能に設け、この支え部材に、前記本体が設置される設置面に接触して該本体を支える接地部を設けたところに特徴を有する。
【０００９】
ここで、この種の洗浄機において、扉を開け更に収納かごを引き出したときの安定性は、本体の前側の支点（設置面への接地位置）と前方に変動する重心の位置との関係によって決まり、支点が重心よりも前側にあるほど安定する。上記構成によれば、本体の前下部に回動可能に設けられた支え部材を、これの先端部が本体の前面よりも前方へ突出する位置に回動させ、この支え部材の接地部を、本体が設置される設置面に接触させて本体を支えるようにすることにより、前側にて本体を支える位置を前方にもってくることができ、この結果、前方への転倒防止効果に優れたものとなる。
【００１０】
このとき、支え部材は、予め本体の下部に回動可能に設けられているので、本体の設置時に付属品の補助脚を取り付けたりする必要はない。また、接地部が設置面に接触しない場合には、その位置に本体を設置することが不適切であることがすぐ判るので、安定性の悪い位置に本体が設置されることを未然に防止することができる。
【００１１】
更に、支え部材は、本体下部の収納凹部に収納することにより、本体から突出しないようにできるから、製品の梱包時にコンパクトにできる。
また、請求項２の発明のように、支え部材は、本体の左右の両端側部分に位置させて設けることが好ましい。これによれば、本体の左右両側に位置した支え部材により本体を安定した状態で支えることができ、また、左右の両支え部材が本体の前面から突出していても、それら両支え部材間のスペースを広く利用することが可能となり、例えば、本体をシンクの横に設置した場合には、シンクの上を広く利用することができる。
【００１２】
請求項３の発明のように、支え部材は、本体の前面と平行または本体の側面と平行となる状態で収納する構成とすることが好ましい。支え部材を本体の前面と平行となるように収納する構成とした場合には、その支え部材の前方への引き出しを、本体の正面から容易に行うことができ、操作性が良い。また、支え部材を本体の側面と平行となるように収納する構成とした場合には、支え部材を前方へ出した状態でも、正面からの外観がすっきりして、きれいに見せることができる。
【００１３】
請求項４の発明のように、接地部は、下方へ突出する脚部から構成することが好ましい。これによれば、その脚部が設置面に接触していないときには、その旨が容易に判るので、脚部を設置面に接触させた状態で確実に設置することができる。
この場合、請求項５の発明のように、脚部は、支え部材の回動中心に対応する部位の下面及び先端部の下面のそれぞれに設けることが好ましい。これによれば、支え部材を、これの先端部が本体の前面から前方へ突出する位置とした状態で、扉を閉めた状態での通常の本体の重量は、支え部材の回動中心の下方の脚部で支持し、扉を開けて収納かごを引き出したときには、支え部材の先端部側の脚部で本体の前方への転倒を防止するため、支え部材の強度を向上させることができる。
また、請求項６の発明のように、脚部に環状またはキャップ状のスペーサを嵌め込むことにより高さ調整を可能とすることが好ましい。これによれば、簡単な構成で高さ調整が可能となり、本体を良好な状態で設置できるようになる。
【００１４】
請求項７の発明は、支え部材に、これの回動中心となる回動軸を設け、本体に、前記回動軸を回動可能に支持する支持部を設けたところに特徴を有する。これによれば、支え部材を回動可能とする構成を、極めて簡単な構成で達成できる。また、請求項８の発明は、支え部材と本体との間に、支え部材の回動時にクリック感を付与する節動手段を設けところに特徴を有する。これによれば、支え部材を所定の回動位置に良好に保持させることができ、また、その支え部材を回動操作した際に、めりはりがあって使いやすく、使用者に安心感を与えることができる。
請求項９の発明は、本体の前面には扉の下方に位置して前面板が設けられていて、支え部材は、その前面板の下方に位置して設けたところに特徴を有している。
【００１５】
請求項１０の発明は、本体には固定具取付部を設け、支え部材は、前後方向への回動が可能であると共に、先端部の下面に接地部を有していて、前記支え部材を、これの先端部が後方へ向く状態に回動させた状態で、前記本体を、前記固定具取付部に取り付けた固定具により設置部に固定できる構成としたところに特徴を有する。
これによれば、例えば、本体を、シンクの横の狭いスペースに設置するような場合に、本体の前部及び支え部材の回動中心が、シンクの上の空間に位置するような状態であっても、支え部材をこれの先端部が後方へ向く状態に回動させた状態で、その支え部材の先端部の接地部が設置面に接触する状態であれば、本体の固定具取付部に取り付けた固定具により設置部に固定することにより、本体を、シンクの横の狭いスペースでも設置できるようになる。
【００１６】
【発明の実施の形態】
以下、本発明を、いわゆる卓上型の食器洗い機に適用したいくつかの実施例について説明する。
本発明の第１実施例について、図１ないし図９を参照して述べる。まず、図１及び図２には、本実施例に係る洗浄機である卓上型の食器洗い機の外観が示されている。これら図１及び図２において、食器洗い機の本体１１は、前後方向に薄形のほぼ矩形箱状に構成されていて、図示はしないが、その内部には、前面に開口部（食器類出入口）１２を有する洗浄槽が設けられていると共に、その洗浄槽内に収容された食器を洗浄する洗浄機構及び乾燥する乾燥機構などが設けられている。そして、本体１１の前面には、前記開口部１２を開閉するための扉１３が設けられていると共に、この扉１３の下方に位置して前面板１４が設けられていて、その前面板１４に操作パネル１５が設けられている。尚、前記本体１１の外形寸法は、例えば左右方向の幅が約５００ｍｍ、高さが約５００ｍｍ、奥行きが約３２０ｍｍとされている。
【００１７】
前記扉１３は、矩形状をなし、その下端部にて本体１１に枢支されたいわゆる前開き方式とされていて、図２に示すように、前方にほぼ水平状態に開放されるようになっている。扉１３の前面上部には手掛け用の凹部１６が設けられ、この凹部１６部分に、該扉１３を閉塞状態にロックするためのロックレバー１７が設けられている。凹部１６の下方には、洗浄槽内を透視することができる透明板からなる透視窓部１８が設けられている。
【００１８】
前記洗浄槽内には、図２に示すように、食器を支持する収納かご１９が出し入れ可能に収容されるようになっている。この収納かご１９は、例えば金属線材を組合わせて、上面が開放した矩形のかご状部の内側に複数の仕切部を有した形態に構成されていると共に、底部の四隅部にローラ２０が設けられており、これらローラ２０が、前記洗浄槽の左右の内側壁部に夫々前後方向に延びて設けられたレール部（図示せず）上に載置されて転動することにより、前後方向に案内されてスムーズに出し入れされるようになっている。前記扉１３の開放状態で収納かご１９を引き出すと、該収納かご１９（前記ローラ２０）が、扉１３の上面（裏面）に載置状態とされるようになっている。
【００１９】
尚、図示及び詳しい説明は省略するが、前記洗浄機構は、前記洗浄槽内への給水を行う給水機構、温水（並びに温風）生成用のヒータ、前記洗浄槽（貯水タンク）に溜められた水を圧送する洗浄ポンプ、この洗浄ポンプから圧送された水を食器に向けて噴出する噴水アーム、前記洗浄槽からの排水を行う排水ポンプ等を備えて構成され、前記乾燥機構は、乾燥用の送風装置等を備えて構成されている。
【００２０】
また、前記操作パネル１５には、詳しく図示はしないが、電源キー、スタート／一時停止キー、コース選択キー、乾燥時間設定キー等を有するキー操作部２１が設けられていると共に、その上部に位置して選択されたコースや運転時間等を表示するためのＬＥＤ等からなる表示部２２が設けられている。尚、図示はしないが、前記本体１１内には、マイクロコンピュータを含む制御回路が設けられ、前記キー操作部２１の操作に基づいて前記洗浄機構等を制御して洗浄運転等を実行させるようになっている。
【００２１】
さて、前記本体１１の底部には例えばプラスチック製の底板２３が設けられていて、この底板２３の後部下面の左右両隅部に後脚部２４が設けられ、また、底板２３の前部下面の左右両端側部分には、長方形状をなす支え部材２５が底板２３の下面に沿ってそれぞれ回動可能に設けられている。
【００２２】
この支え部材２５は、例えばプラスチック製であり、図３及び図４にも示すように、上下方向の厚さが比較的薄形に形成されていると共に、下面が開口した空洞状に形成されている。この支え部材２５の上面の一端部寄りには、当該支え部材２５の回動中心となる回動軸２６が上方に向けて突設されていて、この回動軸２６が、前記底板２３に設けられた円筒状をなす支持部２７に下方から挿入されて回動可能に支持されている。回動軸２６の上端部には、ワッシャ２８がねじ２９により取り付けられていて、このワッシャ２８により回動軸２６の下方への抜け止めなされている。
【００２３】
前記底板２３の前部下面の左右両側には、下面及び外側の側面が開口した収納凹部３０が形成されている（図１ないし図４には右側の収納凹部３０のみ示されている）。この収納凹部３０は、本体１１の側面に沿って、底板２３の前部から後方に向けて延びている。しかして、支え部材２５は、回動中心である回動軸２６を中心に前後方向への回動が可能であり、当該支え部材２５の先端部２５ａを前方へ向けた状態とすることにより、先端部２５ａが本体１１の前面より前方へ突出した状態となり、また、後方へ向けた状態とすることにより、本体１１の側面と平行となる状態で、前記収納凹部３０（本体１１の下部）に収納されるようになっている。収納凹部３０の天井面３０ａには突条部３１が設けられていて、支え部材２５が収納凹部３０に収納された際に、支え部材２５の上面がその突条部３１に当接することにより、当該支え部材２５のがたつきが防止されるようになっている。
【００２４】
上記支え部材２５の内部には、回動軸２６に対応する部位及び先端部２５ａ寄りの部位に位置させて、下面が開口した円筒状のボス部３２，３３が設けられていると共に、これらボス部３２，３３の周りに補強用のリブ３４が設けられている。そして、それら両ボス部３２，３３には、脚部３５，３６が下方から嵌合させることにより取り付けられている。これら両脚部３５，３６は、一部が支え部材２５から下方へ突出している。この場合、両脚部３５，３６には、キャップ状をなすスペーサ３７が下方から嵌合されていて、そのスペーサ３７により高さ調整できる構成としている。ここで、これら両脚部３５，３６、スペーサ３７、並びに、前記後脚部２４は、それぞれ、例えばゴム等の摩擦係数の大きな滑り止め部材から形成されている。
【００２５】
前記底板２３の左右両側部の後寄りの部位には、図１及び図２に示すように、固定具取付部３８が設けられていて、この固定具取付部３８に、図６及び図７に示すように、下部に引掛け部３９ａを有したほぼＬ字形をなす固定具３９がねじ４０により取り付けられるようになっている。
【００２６】
次に、上記構成の作用を説明する。上記構成の食器洗い機の本体１１は、システムキッチンのワークトップ（天板）等のほぼ水平な設置面Ａ（図２参照）に載置された状態で設置される。このとき、通常は、図１及び図２に示すように、本体１１前下部の両支え部材２５を、その先端部２５ａが本体１１の前面から前方へ突出した前向きの状態に位置させる。この状態では、本体１１の底面の左右の後脚部２４と、両支え部材２５の各脚部３５，３６が、設置面Ａにいわばスポット的に接触して本体１１が支えられる。また、この場合、これら後脚部２４と脚部３５，３６のうちのいずれかの脚部が、例えばシンク上に位置されるなど設置面Ａに接触していないときには、安定性がなくなって設置作業者はその旨が容易に判るので、全ての脚部２４、３５，３６が設置面Ａに接触した状態で確実に設置することができるようになる。
【００２７】
そして、食器洗いを行うにあたっては、使用者は、まず、扉１３を開放させて収納かご１９を手前側に引き出し、その収納かご１９内に洗うべき食器を配置した後、該収納かご１９を洗浄槽内に収納し、扉１３を閉めてロックする。その後、操作パネル１５のキー操作部２１を操作して洗浄運転等を実行させる。洗浄運転の終了後は、扉１３のロックを解除した上で扉１３を開放させ、収納かご１９を手前側に引き出し、食器を取り出すようにする。
【００２８】
しかして、このように扉１３を開けて収納かご１９を手前側に引き出したときには、収納かご１９に収納された食器の重量にも応じて、重心が前方へ変動するので、本体１１の設置状態が不安定になる虞が生ずる。ところが、本実施例では、本体１１の前下部に設けられた左右の支え部材２５の、特に本体１１の前面より前方へ突出した先端部２５ａ側の脚部３６により本体１１を支えることができるため、本体１１の前側の支点（設置面Ａへの接地位置）を前方にもってくることができ、ひいては、本体１１を安定して設置することができ、前方への転倒を良好に防止できる。
【００２９】
ここで、図５には、システムキッチンの概略平面図を、食器洗い機の本体１１の設置位置のレイアウトと共に示している。このシステムキッチンは、奥行き寸法が例えば６３０ｍｍ程度のワークトップ４１に、コーナーをいわゆるＲ形状としたシンク４２や、クッキングヒータ４３等を配設して構成され、さらに、ワークトップ４１の奥側に、奥行き寸法が例えば２５０ｍｍ程度の対面式のカウンタ４４、あるいは奥行き寸法が例えば３８０ｍｍ程度の出窓４５が設けられる。本実施例の本体１１は、前述したように、幅寸法が約５００ｍｍ、奥行き寸法が約３２０ｍｍとされ、また、支え部材２５を前向きとした状態での先端部２５ａの本体１１前面からの突出寸法が約３０ｍｍとされている。
【００３０】
図５から理解できるように、本体１１を、前記ワークトップ４１上のシンク４２から外れた▲４▼の位置に設置することができることは勿論、前記出窓４５部分に設置することもできる。さらに、▲３▼の位置つまりワークトップ４１上のシンク４２の右側の狭い位置（幅寸法が例えば２５０ｍｍ）であっても、左右の支え部材２５の脚部３５，３６を、Ｒ形状を利用して前記シンク４２を跨ぐように位置させることにより、横向きに設置することが可能となる。この場合、左右の支え部材２５間において本体１１の前部がシンク４２にかかることになるが、シンク４２を極力広く利用することができる。尚、上記した設置方法の場合には、▲２▼のカウンタ４４上の位置や、一方の支え部材２５が前記シンク４２上にかかる▲５▼の位置に設置されることは、未然に防止される。
【００３１】
一方、本実施例の食器洗い機は、図６及び図７に示すように、左右の支え部材２５を、それぞれ収納凹部３０に収納した状態としても設置することができる。ただしこの場合には、本体１１の側部の固定具取付部３８に固定具３９を取り付け、この固定具３９の引掛け部３９ａを、例えば前記ワークトップ４１の前縁部に引っ掛けることにより、設置部であるワークトップ４１上に固定する。尚、図６及び図７には、本体１１の前面と、シンク４２の右側縁部とがほぼ一致するように設置された状態が示されている。
【００３２】
また、本実施例の食器洗い機は、上記した固定具３９を利用した場合には、図８に示すように設置することも可能となる。すなわち、シンク４２の右側の近傍に壁４６があり、シンク４２の右側縁部から壁４６までの距離Ｂ１が、本体１１の奥行寸法Ｂ２よりも小さい場合でも、後ろ向きとした支え部材２５の先端部２５ａ側の脚部３６が、ワークトップ４１上に接地させることができれば、前述と同様にして固定具３９を利用することにより、本体１１を安定した状態で設置することができる。この場合、本体１１の前縁部や支え部材２５の回動軸２５側の脚部３５が、シンク４２上の空間に位置するような状態でも、本体１１を安定した状態で設置することができる。
【００３３】
さらに、本実施例の食器洗い機は、図９に示すように、固定具３９と、補助設置板４７とを利用して設置することも可能である。補助設置板４７は、本体１１の平面形状よりも若干大きな矩形板状を成すと共に、本体１１の転倒防止用の重りとして機能するような重量を有する構成となっていて、側部に切欠き部４８が形成されている。しかして、この補助設置板４７を利用する場合には、本体１１を補助設置板４７上に載置し、固定具３９の引掛け部３９ａを前記切欠き部４８に引掛けた状態で、当該固定具３９を本体１１の固定具取付部３８にねじ４０により固定する。このようにした場合には、上記した図５において、▲２▼のカウンタ４４上や、▲５▼のように一方の支え部材２５がシンク４２の上にかかる位置であっても、設置が可能となる。
【００３４】
上記した第１実施例によれば、次のような効果を得ることができる。
まず、本体１１の前下部の左右両側に支え部材２５を回動可能に設けていて、これら両支え部材２５を、これの先端部２５ａが本体１１の前面よりも前方へ突出する位置に回動させ、この支え部材２５の接地部である脚部３５，３６を、本体１１が設置される設置面Ａに接触させて本体１１を支えるようにすることにより、扉１３を開けて収納かご１９を引き出した状態でも、本体１１が安定し、前方への転倒防止効果に優れたものとなる。そして、各支え部材２５は、予め本体１１の下部に回動可能に設けられているので、本体１１の設置時に付属品の補助脚を取り付けたりする必要はない。また、支え部材２５の接地部である脚部３５及び３６が設置面Ａに接触しない場合には、その位置に本体１１を設置することが不適切であることがすぐ判るので、安定性の悪い位置に本体が設置されることを未然に防止することができる。
【００３５】
支え部材２５は、本体１１の左右の両端側部分に位置させて設けられているので、両支え部材２５により本体１１を安定した状態で支えることができ、また、左右の両支え部材２５が本体１１の前面から突出していても、それら両支え部材２５間のスペースを広く利用することが可能となり、例えば、本体１１をシンク４２の横に設置した場合には、シンク４２の上を広く利用することができる。
【００３６】
また、支え部材２５の脚部３５，３６は、支え部材２５の回動中心に対応する部位の下面及び先端部２５ａの下面のそれぞれに設けるようにしているので、支え部材２５を、これの先端部２５ａが本体１１の前面から前方へ突出する位置とした状態で、扉１３を閉めた状態での通常の本体１１の重量は、支え部材２５の回動中心の下方の脚部３５で支持し、扉１３を開けて収納かご１９を引き出したときには、支え部材２５の先端部２５ａ側の脚部３６で本体１１の前方への転倒を防止するため、支え部材２５の強度を向上させることができる。
【００３７】
各支え部材２５は本体１１下部の収納凹部３０に収納できる構成となっていて、各支え部材２５を収納することで、当該支え部材２５が本体１１から突出しないようにできるから、特に製品の梱包時にコンパクトにできる利点がある。また、この場合、支え部材２５は、本体１１の側面と平行となるように収納する構成としているので、支え部材２５を前方へ出した状態でも、正面からの外観がすっきりして、きれいに見せることができる利点もある。
支え部材２５の脚部３５，３６にキャップ状のスペーサ３７を嵌め込むことにより高さ調整を可能としているので、簡単な構成で高さ調整が可能となり、本体１１を良好な状態で設置できるようになる。尚、スペーサ３７としては、環状をなすものとすることもできる。
【００３８】
支え部材２５にこれの回動中心となる回動軸２６を設け、この回動軸２６を、本体１１の底板２３に設けた円筒状の支持部２７に挿入して回動可能に支持した構成としているので、支え部材２５を回動可能とする構成を、極めて簡単な構成で達成できる。
さらに、本体１１の側部に固定具取付部３８を設けているので、この固定具取付部３８に固定具３９を取り付け、この固定具３９を利用することにより、本体１１を前述した図６及び図７や、図８の状態でも設置することができる。さらに、この固定具３９と、図９に示した補助設置板４７を利用することにより、一層いろいろな場所に設置することが可能になる。
【００３９】
図１０ないし図１２は本発明の第２実施例を示したものであり、この第２実施例は、上記した第１実施例とは次の点が異なっている。
すなわち、本体１１の底板２３における左右の各収納凹部５０は、本体１１の前面に沿って左右方向に延びるように形成されており、従って、回動可能な各支え部材５１は、収納凹部５０に、本体１１の前面と平行となる状態で収納されるようになっている。この場合、支え部材５１の先端部５１ａ側のボス部３３には脚部３６が装着されているが、回動軸２６の下方に存するボス部３２には脚部は装着されてはいない。尚、そのボス部３２にも脚部を装着するようにしても良い。
【００４０】
このような構成とした第２実施例によれば、特に、支え部材５１の前方への引き出しを、本体１１の正面から容易に行うことができるので、支え部材５１の回動操作性を向上できる利点がある。
【００４１】
図１３は本発明の第３実施例を示したものであり、この第３実施例は、上記した第２実施例とは次の点が異なっている。
すなわち、本体１１の底板２３に、支持部２７の近傍に位置させて、上下方向への弾性変形が可能な弾性片５２を設け、この弾性片５２の先端部の下面に、下方へ突出する係合凸部５３を１個設けている。そして、支え部材５１の上面に、回動軸２６の周囲に位置させて、溝状の係合凹部５４，５５を２本形成している。２本の係合凹部５４，５５は、それぞれ回動軸２６を中心にして、９０度異なる方向に延びている。
【００４２】
この場合、支え部材５１を、これの先端部５１ａが前方へ向く状態とした際には、一方の係合凹部５４と弾性片５２の係合凸部５３とが係合し、また、支え部材５１を、これの先端部５１ａが左または右へ向く状態（支え部材５１を収納凹部５０に収納した状態）とした際には、他方の係合凹部５５と弾性片５２の係合凸部５３とが係合するようになっている。しかして、支え部材５１を回動操作することに伴い、係合凹部５４，５５と係合凸部５３が係合したり、係合が外れたりする際にクリック感が付与されるようになっており、これら弾性片５２と、係合凸部５３と、係合凹部５４，５５とにより、節動手段を構成する節動機構５６を構成している。
【００４３】
このような構成とした場合には、上記節動機構５６により、支え部材５１を所定の回動位置（前向きの突出位置と横向きの収納位置）に良好に保持させることができ、また、その支え部材５１を回動操作した際に、めりはりがあって使いやすく、使用者に安心感を与えることができる。
尚、係合凹部５４，５５は、放射状に多数本形成するようにしても良い。
【００４４】
図１４は本発明の第４実施例を示したものであり、この第４実施例は、上記した第２実施例とは次の点が異なっている。
すなわち、支え部材５１は、本体１１の前下部において左右方向のほぼ中央部に位置させて、１個のみ回動可能に設けられている。この支え部材５１も、横向き状態で（本体１１の前面と平行な状態）、本体１１の下部に収納されるようになっている。この場合、本体１１の底板２３における前部下面の左右の両隅部に、前脚部５７を設けている。
【００４５】
本発明は、上記した各実施例にのみ限定されるものではなく、次のように変形または拡張することができる。
支え部材２５，５１の下面に脚部３５，３６を装着せず、下面全体を接地部とすることもできる。
扉１３は、前開き式のものに限られず、横開き式のものや、前後方向にスライドする引出し式のものであっても良い。
また、卓上型の食器洗い機に限らず、各種の洗浄機に適用できる。
【００４６】
【発明の効果】
以上の説明から明らかなように、本発明の洗浄機によれば、本体の前面に扉を開閉可能に備えるものにあって、本体の前下部に、下面及び外側の側面が開口した収納凹部に収納可能で、かつ前方への回動位置で先端部が本体の前面よりも前方へ突出する支え部材を回動可能に設け、この支え部材に、本体が設置される設置面に接触して該本体を支える接地部を設けた構成としたことにより、付属品の補助脚によらずとも、前方への転倒を防止でき、安定した状態に設置することが可能となるという優れた効果を奏する。
【図面の簡単な説明】
【図１】本発明の第１実施例を示す斜視図
【図２】扉を開け、収納かごを引き出した状態での側面図
【図３】要部の縦断側面図
【図４】要部の底面図
【図５】本体の各種の設置位置レイアウトを示すシステムキッチンの平面図
【図６】固定具を使用した設置例その１を示す斜視図
【図７】同状態の側面図
【図８】固定具を使用した設置例その２を示す要部の破断側面図
【図９】補助設置板を使用する場合の要部の破断斜視図
【図１０】本発明の第２実施例を示すもので、支え部材を収納した状態での斜視図
【図１１】図３相当図
【図１２】図４相当図
【図１３】本発明の第３実施例を示す要部の分解斜視図
【図１４】本発明の第４実施例を示す斜視図
【図１５】従来例を示す斜視図
【符号の説明】
図面中、１１は本体、１２は開口部、１３は扉、１４は前面板、１９は収納かご、２３は底板、２４は後脚部、２５は支え部材、２５ａは先端部、２６は回動軸、２７は支持部、３０は収納凹部、３５，３６は脚部（接地部）、３７はスペーサ、３８は固定具取付部、３９は固定具、４１はワークトップ（設置部）、４２はシンク、４７は補助設置板、５０は収納凹部、５１は支え部材、５１ａは先端部、５２は弾性片、５３は係合凸部、５４，５５は係合凹部、５６は節動機構（節動手段）、Ａは設置面を示す。
【図１】
0003572230.tif 000002
【図２】
0003572230.tif 000003
【図３】
0003572230.tif 000004
【図４】
0003572230.tif 000005
【図５】
0003572230.tif 000006
【図６】
0003572230.tif 000007
【図７】
0003572230.tif 000008
【図８】
0003572230.tif 000009
【図９】
0003572230.tif 000010
【図１０】
0003572230.tif 000011
【図１１】
0003572230.tif 000012
【図１２】
0003572230.tif 000013
【図１３】
0003572230.tif 000014
【図１４】
0003572230.tif 000015
【図１５】
0003572230.tif 000016